(57)【特許請求の範囲】
【請求項１】
ノズル部（１４ａ）から噴射される高い速度の冷媒流により冷媒吸引口（１４ｂ）から冷媒を吸引し、前記ノズル部（１４ａ）から噴射された冷媒と前記冷媒吸引口（１４ｂ）から吸引された冷媒とを混合して吐出するエジェクタ（１４）と、
前記エジェクタ（１４）の出口部（１４ｅ）側に接続され前記エジェクタ（１４）から吐出された吐出冷媒を蒸発させる第１蒸発器（１５）と
前記冷媒吸引口（１４ｂ）に接続され前記エジェクタ（１４）に吸引される吸引冷媒を蒸発させる第２蒸発器（１８）とを備え、
前記第１蒸発器もしくは前記第２蒸発器のいずれか一方の蒸発器（１８）の複数の冷媒通路に対する冷媒流れの分配または集合を行うタンク（１８ｂ）の内部が、前記吐出冷媒が流入する第１空間（６９）と、前記吸引冷媒が流入する第２空間（７０）とに仕切られており、
前記吐出冷媒が前記第１空間（６９）を通じて前記第１蒸発器（１５）側へと流れ、前記吸引冷媒が前記第２空間（７０）を通じて前記第２蒸発器（１８）側へと流れるようになっていることを特徴とするエジェクタ式冷凍サイクル用ユニット。
【請求項２】
前記一方の蒸発器は前記第２蒸発器（１８）であることを特徴とする請求項１に記載のエジェクタ式冷凍サイクル用ユニット。
【請求項３】
前記第１空間（６９）には前記第１蒸発器（１５）側と連通する連通穴（７１）が配置されており、
前記吐出冷媒が前記連通穴（７１）を介して前記第１空間（６９）から前記第１蒸発器（１５）側へと流れるようになっていることを特徴とする請求項２に記載のエジェクタ式冷凍サイクル用ユニット。
【請求項４】
前記連通穴（７１）は、前記吐出冷媒が流入する方向に複数個配置されていることを特徴とする請求項３に記載のエジェクタ式冷凍サイクル用ユニット。
【請求項５】
前記連通穴（７１）は、前記吐出冷媒が流入する方向と平行に延びる形状を有していることを特徴とする請求項３に記載のエジェクタ式冷凍サイクル用ユニット。
【請求項６】
前記第２空間（７０）は前記タンク（１８ｂ）内部のうち前記冷媒通路に近い側に形成されており、
前記第１空間（６９）は前記タンク（１８ｂ）内部のうち前記冷媒通路から離れる側に形成されていることを特徴とする請求項２ないし５のいずれか１つに記載のエジェクタ式冷凍サイクル用ユニット。
【請求項７】
前記第２空間（７０）の一部は、前記冷媒通路から離れる側まで拡大して形成されていることを特徴とする請求項６に記載のエジェクタ式冷凍サイクル用ユニット。
【請求項８】
前記タンク（１８ｂ）内部には前記冷媒通路側を向いた板面（６７ａ）を有する仕切板（６７）が配置されており、
前記板面（６７ａ）により、前記タンク（１８ｂ）内部の空間が前記第１空間（６９）と前記第２空間（７０）とに仕切られていることを特徴とする請求項６に記載のエジェクタ式冷凍サイクル用ユニット。
【請求項９】
前記タンク（１８ｂ）内部には前記冷媒通路側を向いた板面（６７ａ）を有する仕切板（６７）が配置されており、
前記板面（６７ａ）の一端部には前記冷媒通路から離れる側に屈曲する屈曲部（６７ｂ）が形成されており、
前記仕切板（６７）の前記板面（６７ａ）と前記屈曲部（６７ｂ）とにより、前記タンク（１８ｂ）の内部が前記第１空間（６９）と前記第２空間（７０）とに仕切られていることを特徴とする請求項７に記載のエジェクタ式冷凍サイクル用ユニット。
【請求項１０】
前記仕切板（６７）には、前記屈曲部（６７ｂ）の変形を防止するためのリブ（６７ｄ）が形成されていることを特徴とする請求項９に記載のエジェクタ式冷凍サイクル用ユニット。
【請求項１１】
前記エジェクタ（１４）が前記タンク（１８ｂ）の内部に配置されており、
前記出口部（１４ｅ）が前記第１空間（６９）内に開口していることを特徴とする請求項１ないし１０のいずれか１つに記載のエジェクタ式冷凍サイクル用ユニット。
【請求項１２】
前記エジェクタ（１４）が前記タンク（１８ｂ）の内部に配置されており、
前記出口部（１４ｅ）が前記第１空間（６９）内に開口しており、
前記板面（６７ａ）には、前記吐出冷媒を滑らかに流すための窪み部（６７ｆ）が前記第２空間（７０）側に窪んだ形状に形成されていることを特徴とする請求項８ないし１０のいずれか１つに記載のエジェクタ式冷凍サイクル用ユニット。
【請求項１３】
前記第１蒸発器（１５）が空気流れ上流側に配置され、前記第２蒸発器（１８）が空気流れ下流側に配置されていることを特徴とする請求項１ないし１２のいずれか１つに記載のエジェクタ式冷凍サイクル用ユニット。
【請求項１４】
前記第１蒸発器（１５）と前記第２蒸発器（１８）と前記エジェクタ（１４）とが一体に組み付けられ、一体化ユニット（２０）を構成していることを特徴とする請求項１ないし１３のいずれか１つに記載のエジェクタ式冷凍サイクル用ユニット。
【請求項１５】
前記第２空間（７０）には前記吸引冷媒が流入する流入口（１７ｄ）が配置されており、
前記流入口（１７ｄ）の冷媒流れ上流側には、冷媒流れを減圧する絞り機構（１７、１７ａ）が配置されていることを特徴とする請求項１ないし１４のいずれか１つに記載のエジェクタサイクル用ユニット。
【請求項１６】
前記第２空間（７０）には前記吸引冷媒が流入する流入口（１７ｄ）が配置されており、
前記流入口（１７ｄ）の冷媒流れ上流側には、冷媒流れを減圧する絞り機構（１７、１７ａ）が配置されており、
さらに、前記絞り機構（１７、１７ａ）は前記一体化ユニット（２０）に組み付けられていることを特徴とする請求項１４に記載のエジェクタサイクル用ユニット。
【請求項１７】
前記エジェクタは、前記ノズル部（１４ａ）から噴射する高い速度の冷媒流と前記冷媒吸引口（１４ｂ）の吸引冷媒とを混合する混合部（１４ｃ）、および前記混合部（１４ｃ）で混合した冷媒流の速度エネルギーを圧力エネルギーに変換する昇圧部（１４ｄ）を有していることを特徴とする請求項１ないし１６のいずれか１つに記載のエジェクタ式冷凍サイクル用ユニット。
【請求項１８】
冷媒を吸入し圧縮する圧縮機（１１）と、
前記圧縮機（１１）から吐出された高圧冷媒の放熱を行う放熱器（１２）と、
前記放熱器（１２）から供給される冷媒を蒸発させる請求項１ないし１７のいずれか１つに記載のエジェクタ式冷凍サイクル用ユニットとを備えることを特徴とするエジェクタ式冷凍サイクル。
【発明の詳細な説明】
【技術分野】
【０００１】
本発明は、冷媒減圧手段の役割および冷媒循環手段の役割を果たすエジェクタを有するエジェクタ式冷凍サイクル用ユニットに関するものである。
【背景技術】
【０００２】
従来、冷媒減圧手段の役割および冷媒循環手段の役割を果たすエジェクタ有するエジェクタ式冷凍サイクルが知られている。このエジェクタ式冷凍サイクルは、例えば、車両用空調装置、あるいは車載の荷物を冷凍、冷蔵する車両用冷凍装置等に適用して有効である。また、定置型の冷凍サイクルシステム、例えば、空調装置、冷蔵庫、冷凍庫などに適用して有効である。この種のエジェクタ式冷凍サイクルは特許文献１等にて知られている。
【０００３】
この特許文献１では、冷媒減圧手段および冷媒循環手段の役割を果たすエジェクタの出口側に第１蒸発器を配置し、この第１蒸発器の出口側に気液分離器を配置するともに、この気液分離器の液冷媒出口側とエジェクタの冷媒吸引口との間に第２蒸発器を配置したエジェクタ式冷凍サイクルが開示されている。
【０００４】
特許文献１のエジェクタ式冷凍サイクルによると、膨張時の冷媒の高速な流れにより生じる圧力低下を利用して、第２蒸発器から排出される気相冷媒を吸引するとともに、膨張時の冷媒の速度エネルギーをエジェクタのディフューザ部（昇圧部）にて圧力エネルギーに変換して冷媒圧力を上昇させるので、圧縮機の駆動動力を低減できる。このため、サイクルの運転効率を向上することができる。
【０００５】
また、第１、第２蒸発器により別々の空間、または第１、第２蒸発器により同一の空間に対して吸熱（冷却）作用を発揮することができる。
【０００６】
また、特許文献１のエジェクタ式冷凍サイクルでは、エジェクタの出口部から吐出された冷媒をディストリビュータによって第１蒸発器の複数本のチューブに分配し、気液分離器から流出した冷媒を複数本の配管によって第２蒸発器の複数本のチューブに分配している。
【特許文献１】特許第３２６５６４９号公報
【発明の開示】
【発明が解決しようとする課題】
【０００７】
しかしながら、特許文献１のエジェクタ式冷凍サイクルでは、第１、第２蒸発器の複数本のチューブに対して冷媒を分配するための流路配管が複雑になるという問題がある。
【０００８】
本発明は、上記点に鑑み、エジェクタ式冷凍サイクルにおける流路構成の簡素化を図ることを目的とする。
【課題を解決するための手段】
【０００９】
上記目的を達成するため、本発明は、ノズル部（１４ａ）から噴射される高い速度の冷媒流により冷媒吸引口（１４ｂ）から冷媒を吸引し、ノズル部（１４ａ）から噴射された冷媒と冷媒吸引口（１４ｂ）から吸引された冷媒とを混合して吐出するエジェクタ（１４）と、
エジェクタ（１４）の出口部（１４ｅ）側に接続されエジェクタ（１４）から吐出された吐出冷媒を蒸発させる第１蒸発器（１５）と
冷媒吸引口（１４ｂ）に接続されエジェクタ（１４）に吸引される吸引冷媒を蒸発させる第２蒸発器（１８）とを備え、
第１蒸発器もしくは第２蒸発器のいずれか一方の蒸発器（１８）の複数の冷媒通路に対する冷媒流れの分配または集合を行うタンク（１８ｂ）の内部が、吐出冷媒が流入する第１空間（６９）と、吸引冷媒が流入する第２空間（７０）とに仕切られており、
吐出冷媒が第１空間（６９）を通じて第１蒸発器（１５）側へと流れ、吸引冷媒が第２空間（７０）を通じて第２蒸発器（１８）側へと流れるようになっていることを特徴とする。
【００１０】
これによると、１つのタンク（１８ｂ）が吐出冷媒側流路および吸引冷媒側流路との接続機能と、吐出冷媒と吸引冷媒との分配機能を併せ持つことができる。このため、エジェクタ式冷凍サイクルにおける流路構成を簡素化することができる。
【００１１】
本発明は、具体的には、一方の蒸発器が第２蒸発器（１８）であるので、第２蒸発器（１８）の出口側とエジェクタ（１４）の冷媒吸引口（１４ｂ）との間の通路長さを短縮できるので、蒸発器（１８）出口側の圧損を低減できる。これにより、第２蒸発器（１８）の蒸発圧力を引き下げて第２蒸発器（１８）の冷却性能を向上できる。
【００１２】
本発明は、より具体的には、第１空間（６９）には第１蒸発器（１５）側と連通する連通穴（７１）が配置されており、
吐出冷媒が連通穴（７１）を介して第１空間（６９）から第１蒸発器（１５）側へと流れるようになっている。
【００１３】
本発明は、より具体的には、連通穴（７１）は、吐出冷媒が流入する方向に複数個配置されている。
【００１４】
これにより、エジェクタ（１４）の出口部（１４ｅ）から第１空間（６９）内に吐出した吐出冷媒を複数個の連通穴（７１）に分配して第１蒸発器（１５）側へとスムーズに流すことができる。このため、吐出冷媒が連通穴（７１）を通過するときに生じる圧力損失を低減することができる。
【００１５】
また、本発明は、より具体的には、連通穴（７１）は、吐出冷媒が流入する方向と平行に延びる形状を有しているようにしてもよい。
【００１６】
これにより、連通穴（７１）の面積を大きく確保できるので、吐出冷媒を第１蒸発器（１５）側へとスムーズに流すことができる。このため、吐出冷媒が連通穴（７１）を通過するときに生じる圧力損失を低減することができる。
【００１７】
また、本発明は、より具体的には、第２空間（７０）はタンク（１８ｂ）内部のうち冷媒通路に近い側に形成されており、
第１空間（６９）はタンク（１８ｂ）内部のうち冷媒通路から離れる側に形成することができる。
【００１８】
また、本発明は、より具体的には、第２空間（７０）の一部は、冷媒通路から離れる側まで拡大して形成されている。
【００１９】
これにより、第２空間（７０）に吸引冷媒を流入させるための空間を確保することができるので、タンク（１８ｂ）の体格が大型化することを回避できる。
【００２０】
また、本発明は、より具体的には、タンク（１８ｂ）内部には冷媒通路側を向いた板面（６７ａ）を有する仕切板（６７）が配置されており、
板面（６７ａ）により、タンク（１８ｂ）内部の空間を第１空間（６９）と第２空間（７０）とに仕切られている。
【００２１】
また、本発明は、より具体的には、タンク（１８ｂ）内部には冷媒通路側を向いた板面（６７ａ）を有する仕切板（６７）が配置されており、
板面（６７ａ）の一端部には冷媒通路から離れる側に屈曲する屈曲部（６７ｂ）が形成されており、
仕切板（６７）の板面（６７ａ）と屈曲部（６７ｂ）とにより、タンク（１８ｂ）の内部が第１空間（６９）と第２空間（７０）とに仕切られている。
【００２２】
また、本発明は、より具体的には、仕切板（６７）には、屈曲部（６７ｂ）の変形を防止するためのリブ（６７ｄ）が形成されているので、屈曲部（６７ｂ）によりタンク（１８ｂ）内部を確実に仕切ることができる。
【００２３】
また、本発明は、より具体的には、エジェクタ（１４）がタンク（１８ｂ）の内部に配置されており、
出口部（１４ｅ）が第１空間（６９）内に開口している。
【００２４】
これによると、エジェクタ（１４）と蒸発器（１５、１８）側冷媒流路との接続を接続配管なしで、簡単に行うことができる。さらに、蒸発器（１５、１８）のタンク（１８ｂ）内は低温の低圧冷媒が流れるから、エジェクタ（１４）の外表面に対して断熱処理を行う必要がないという付随効果をも発揮できる。
【００２５】
また、本発明は、より具体的には、板面（６７ａ）には、吐出冷媒を滑らかに流すための窪み部（６７ｆ）が第２空間（７０）側に窪んだ形状に形成されている。
【００２６】
これにより、エジェクタ（１４）の出口部（１４ｅ）を第１空間（６９）内に開口させても、タンク（１８ｂ）の体格が大型化することを回避でき、さらに、吐出冷媒が仕切板（６７）の板面（６７ａ）で抵抗を受けることを回避することができる。
【００２７】
また、本発明は、より具体的には、第１蒸発器（１５）が空気流れ上流側に配置され、第２蒸発器（１８）が空気流れ下流側に配置されているので、第１、第２蒸発器（１５、１８）の双方で、冷媒温度と空気温度との温度差を十分確保して、第１、第２蒸発器（１５、１８）の冷却性能を効果的に発揮できる。
【００２８】
また、本発明は、より具体的には、第１蒸発器（１５）と第２蒸発器（１８）とエジェクタ（１４）とが一体に組み付けられ、一体化ユニット（２０）を構成している。
【００２９】
これによると、エジェクタ（１４）と第１、第２蒸発器（１５、１８）とを含む一体化ユニット（２０）全体を一体物として取り扱うことができる。そのため、エジェクタサイクルを車両等の適用対象に搭載する際の搭載作業を非常に効率よく行うことができる。
【００３０】
また、一体化ユニット（２０）を構成して各部接続通路長さを短縮することにより、コストダウンおよび搭載スペースの小型化を図ることもできる。
【００３１】
なお、本発明におけるエジェクタ（１４）と第１、第２蒸発器（１５、１８）の「一体組み付け」とは、この両部材が機械的に「一体構造物」として結合されていることを意味している。そして、この「一体組み付け」は種々な態様で具体化することができる。
【００３２】
また、本発明は、より具体的には、第２空間（７０）には吸引冷媒が流入する流入口（１７ｄ）が配置されており、
流入口（１７ｄ）の冷媒流れ上流側には、冷媒流れを減圧する絞り機構（１７、１７ａ）が配置されている。
【００３３】
さらに、本発明のように、絞り機構（１７、１７ａ）を一体化ユニット（２０）に組み付ければ、絞り機構（１７、１７ａ）を含めた一体化ユニット（２０）を構成できる。
【００３４】
また、本発明は、より具体的には、エジェクタは、ノズル部（１４ａ）から噴射する高い速度の冷媒流と冷媒吸引口（１４ｂ）の吸引冷媒とを混合する混合部（１４ｃ）、および混合部（１４ｃ）で混合した冷媒流の速度エネルギーを圧力エネルギーに変換する昇圧部（１４ｄ）を有している。
【００３５】
また、本発明は、より具体的には、冷媒を吸入し圧縮する圧縮機（１１）と、
圧縮機（１１）から吐出された高圧冷媒の放熱を行う放熱器（１２）と、
放熱器（１２）から供給される冷媒を蒸発させる上述した本発明によるエジェクタ式冷凍サイクル用ユニットとを備える。
【００３６】
これにより、上述した本発明による作用効果を発揮できるエジェクタ式冷凍サイクルを構成できる。
【００３７】
なお、上記各手段の括弧内の符号は、後述する実施形態に記載の具体的手段との対応関係を示すものである。
【発明を実施するための最良の形態】
【００３８】
（第１実施形態）
以下、本発明に係るエジェクタ式冷凍サイクル用ユニットおよびそれを用いたエジェクタ式冷凍サイクルの実施形態を説明する。エジェクタ式冷凍サイクル用ユニットは、エジェクタ式冷凍サイクル用蒸発器ユニット、あるいは、エジェクタ付き蒸発器ユニットとも呼ばれうるものである。
【００３９】
エジェクタ式冷凍サイクル用ユニットは、エジェクタを備える冷凍サイクルを構成するために配管を介して冷凍サイクルの他の構成部品である凝縮器、および圧縮機と接続される。エジェクタ式冷凍サイクル用ユニットは、ひとつの形態では室内機として空気を冷却する用途に用いられる。また、エジェクタ式冷凍サイクル用ユニットは、他の形態では、室外機として用いることができる。
【００４０】
図１〜図１１は本発明の第１実施形態を示すもので、図１は第１実施形態によるエジェクタ式冷凍サイクル１０を車両用冷凍サイクル装置に適用した例を示す。本実施形態のエジェクタ式冷凍サイクル１０において、冷媒を吸入圧縮する圧縮機１１は、電磁クラッチ１１ａ、ベルト等を介して図示しない車両走行用エンジンにより回転駆動される。
【００４１】
この圧縮機１１としては、吐出容量の変化により冷媒吐出能力を調整できる可変容量型圧縮機、あるいは電磁クラッチ１１ａの断続により圧縮機作動の稼働率を変化させて冷媒吐出能力を調整する固定容量型圧縮機のいずれを使用してもよい。また、圧縮機１１として電動圧縮機を使用すれば、電動モータの回転数調整により冷媒吐出能力を調整できる。
【００４２】
この圧縮機１１の冷媒吐出側には放熱器１２が配置されている。放熱器１２は圧縮機１１から吐出された高圧冷媒と図示しない冷却ファンにより送風される外気（車室外空気）との間で熱交換を行って高圧冷媒を冷却する。
【００４３】
ここで、エジェクタ式冷凍サイクル１０の冷媒として、本実施形態ではフロン系、ＨＣ系等の冷媒のように高圧圧力が臨界圧力を超えない冷媒を用いて、蒸気圧縮式の亜臨界サイクルを構成している。このため、放熱器１２は冷媒を凝縮する凝縮器として作用する。
【００４４】
放熱器１２の出口側には受液器１２ａが設けられている。この受液器１２ａは周知のように縦長のタンク形状のものであり、冷媒の気液を分離してサイクル内の余剰液冷媒を溜める気液分離器を構成する。受液器１２ａの出口にはタンク形状内部の下部側から液冷媒を導出するようになっている。なお、受液器１２ａは本例では放熱器１２と一体的に設けられている。
【００４５】
また、放熱器１２として、冷媒流れ上流側に位置する凝縮用熱交換部と、この凝縮用熱交換部からの冷媒を導入して冷媒の気液を分離する受液器１２ａと、この受液器１２ａからの飽和液冷媒を過冷却する過冷却用熱交換部とを有する公知の構成を採用してもよい。
【００４６】
受液器１２ａの出口側には温度式膨張弁１３が配置されている。この温度式膨張弁１３は受液器１２ａからの液冷媒を減圧する減圧手段であって、圧縮機１１の吸入側通路に配置された感温部１３ａを有している。
【００４７】
温度式膨張弁１３は周知のように、圧縮機１１の吸入側冷媒（後述の蒸発器出口側冷媒）の温度と圧力とに基づいて圧縮機吸入側冷媒の過熱度を検出し、圧縮機吸入側冷媒の過熱度が予め設定された所定値となるように弁開度（冷媒流量）を調整するものである。
【００４８】
温度式膨張弁１３の出口側にエジェクタ１４が配置されている。このエジェクタ１４は冷媒を減圧する減圧手段であるとともに、高速で噴出する冷媒流の吸引作用（巻き込み作用）によって冷媒の循環を行う流体輸送を冷媒循環手段（運動量輸送式ポンプ）でもある。
【００４９】
エジェクタ１４には、膨張弁１３通過後の冷媒（中間圧冷媒）の通路面積を小さく絞って、冷媒をさらに減圧膨張させるノズル部１４ａと、ノズル部１４ａの冷媒噴出口と同一空間に配置され、後述する第２蒸発器１８からの気相冷媒を吸引する冷媒吸引口１４ｂが備えられている。
【００５０】
さらに、ノズル部１４ａおよび冷媒吸引口１４ｂの冷媒流れ下流側部位には、ノズル部１４ａからの高速度の冷媒流と冷媒吸引口１４ｂの吸引冷媒とを混合する混合部１４ｃが設けられている。そして、混合部１４ｃの冷媒流れ下流側に昇圧部をなすディフューザ部１４ｄが配置されている。このディフューザ部１４ｄは冷媒の通路面積を徐々に大きくする形状に形成されており、冷媒流れを減速して冷媒圧力を上昇させる作用、つまり、冷媒の速度エネルギーを圧力エネルギーに変換する作用を果たす。
【００５１】
エジェクタ１４の出口部１４ｅ（ディフューザ部１４ｄの先端部）側に第１蒸発器１５が接続され、この第１蒸発器１５の出口側は圧縮機１１の吸入側に接続される。
【００５２】
一方、エジェクタ１４の入口側（温度式膨張弁１３の出口側とエジェクタ１４の入口側との間の中間部位）から冷媒分岐通路１６が分岐され、この冷媒分岐通路１６の下流側はエジェクタ１４の冷媒吸引口１４ｂに接続される。Ｚは冷媒分岐通路１６の分岐点を示す。
【００５３】
この冷媒分岐通路１６には絞り機構１７が配置され、この絞り機構１７よりも冷媒流れ下流側には第２蒸発器１８が配置されている。絞り機構１７は第２蒸発器１８への冷媒流量の調節作用をなす減圧手段であって、具体的にはキャピラリチューブやオリフィスのような固定絞りで構成できる。
【００５４】
本実施形態では、２つの蒸発器１５、１８を後述の構成により一体構造に組み付けるようになっている。この２つの蒸発器１５、１８を図示しないケース内に収納し、そして、このケース内に構成される空気通路に共通の電動送風機１９により空気（被冷却空気）を矢印Ａのごとく送風し、この送風空気を２つの蒸発器１５、１８で冷却するようになっている。
【００５５】
２つの蒸発器１５、１８で冷却された冷風を共通の冷却対象空間（図示せず）に送り込み、これにより、２つの蒸発器１５、１８にて共通の冷却対象空間を冷却するようになっている。ここで、２つの蒸発器１５、１８のうち、エジェクタ１４下流側の主流路に接続される第１蒸発器１５を空気流れＡの上流側（風上側）に配置し、エジェクタ１４の冷媒吸引口１４ｂに接続される第２蒸発器１８を空気流れＡの下流側（風下側）に配置している。
【００５６】
なお、本実施形態のエジェクタ式冷凍サイクル１０を車両空調用冷凍サイクル装置に適用する場合は車室内空間が冷却対象空間となる。また、本実施形態のエジェクタ式冷凍サイクル１０を冷凍車用冷凍サイクル装置に適用する場合は冷凍車の冷凍冷蔵庫内空間が冷却対象空間となる。
【００５７】
ところで、本実施形態では、エジェクタ１４、第１、第２蒸発器１５、１８および絞り機構１７を１つの一体化ユニット２０として組み付けている。次に、この一体化ユニット２０の具体例を図２〜図１０により説明する。
【００５８】
図２は第１、第２蒸発器１５、１８の全体構成の概要を示す分解斜視図である。図３は第１、第２蒸発器１５、１８の上側タンク部の横断面図で、図４は第２蒸発器１８の上側タンク部の縦断面図で、図５は図４におけるＢ−Ｂ拡大断面図である。
【００５９】
まず、２つの蒸発器１５、１８の一体化構造の具体例を図２により説明する。この図２の例では、２つの蒸発器１５、１８が完全に１つの蒸発器構造として一体化されるようになっている。そのため、第１蒸発器１５は１つの蒸発器構造のうち空気流れＡの上流側領域を構成し、そして、第２蒸発器１８は１つの蒸発器構造のうち空気流れＡの下流側領域を構成するようになっている。
【００６０】
第１蒸発器１５および第２蒸発器１８の基本的構成は同一であり、それぞれ熱交換コア部１５ａ、１８ａと、この熱交換コア部１５ａ、１８ａの上下両側に位置するタンク部１５ｂ、１５ｃ、１８ｂ、１８ｃとを備えている。
【００６１】
ここで、熱交換コア部１５ａ、１８ａは、それぞれ上下方向に延びる複数のチューブ２１を備える。これら複数のチューブ２１の間には、被熱交換媒体、この実施形態では冷却される空気が通る通路が形成される。
【００６２】
これら複数のチューブ２１相互間には、フィン２２を配置し、チューブ２１とフィン２２とを接合することができる。熱交換コア部１５ａ、１８ａは、チューブ２１とフィン２２との積層構造からなる。このチューブ２１とフィン２２は熱交換コア部１５ａ、１８ａの左右方向に交互に積層配置される。他の実施形態では、フィン２２を備えない構成を採用することができる。
【００６３】
なお、図２では、フィン２２を一部のみ図示しているが、熱交換コア部１５ａ、１８ａの全域にフィン２２が配置され、熱交換コア部１５ａ、１８ａの全域にチューブ２１とフィン２２の積層構造が構成されている。そして、この積層構造の空隙部を電動送風機１９の送風空気が通過するようになっている。
【００６４】
チューブ２１は冷媒通路を構成するもので、断面形状が空気流れ方向Ａに沿って扁平な扁平チューブよりなる。フィン２２は薄板材を波状に曲げ成形したコルゲートフィンであり、チューブ２１の平坦な外面側に接合され空気側伝熱面積を拡大する。
【００６５】
熱交換コア部１５ａのチューブ２１と熱交換コア部１８ａのチューブ２１は互いに独立した冷媒通路を構成し、第１蒸発器１５の上下両側のタンク部１５ｂ、１５ｃと、第２蒸発器１８の上下両側のタンク部１８ｂ、１８ｃは互いに独立した冷媒通路空間を構成する。
【００６６】
図５に示すように、第１蒸発器１５の上下両側のタンク部１５ｂ、１５ｃは熱交換コア部１５ａのチューブ２１の上下両端部が挿入され、接合されるチューブ嵌合穴部１５ｄを有し、チューブ２１の上下両端部がタンク部１５ｂ、１５ｃの内部空間に連通するようになっている。
【００６７】
同様に、第２蒸発器１８の上下両側のタンク部１８ｂ、１８ｃは熱交換コア部１８ａのチューブ２１の上下両端部が挿入され、接合されるチューブ嵌合穴部１８ｄを有し、チューブ２１の上下両端部がタンク部１８ｂ、１８ｃの内部空間に連通するようになっている。
【００６８】
これにより、上下両側のタンク部１５ｂ、１５ｃ、１８ｂ、１８ｃは、それぞれ対応する熱交換コア部１５ａ、１８ａの複数のチューブ２１へ冷媒流れを分配したり、複数のチューブ２１からの冷媒流れを集合する役割を果たす。
【００６９】
なお、図５では、上下両側のタンク部１５ｂ、１５ｃ、１８ｂ、１８ｃのチューブ嵌合穴部１５ｄ、１８ｄのうち上側タンク１５ｂ、１８ｂ側のチューブ嵌合穴部のみを図示している。一方、下側タンク１５ｃ、１８ｃ側のチューブ嵌合穴部は上側タンク１５ｂ、１８ｂ側のチューブ嵌合穴部と同様の構成であるので、下側タンク１５ｃ、１８ｃ側のチューブ嵌合穴部については図示を省略している。
【００７０】
２つの上側タンク１５ｂ、１８ｂ、および２つの下側タンク１５ｃ、１８ｃは隣接しているので、２つの上側タンク１５ｂ、１８ｂ同士、および２つの下側タンク１５ｃ、１８ｃ同士を一体成形することができる。もちろん、２つの上側タンク１５ｂ、１８ｂ、および２つの下側タンク１５ｃ、１８ｃをそれぞれ独立の部材として成形してもよい。
【００７１】
本実施形態では、図２、図５に示すように、２つの上側タンク１５ｂ、１８ｂを底面側半割れ部材６０、上面側半割れ部材６１およびキャップ６２に分割して成形している。
【００７２】
より具体的には、底面側半割れ部材６０は２つの上側タンク１５ｂ、１８ｂのそれぞれの底面側半割れ部を一体成形した略Ｗ字状断面を有し、上面側半割れ部材６１は２つの上側タンク１５ｂ、１８ｂのそれぞれの上面側半割れ部を一体成形した略Ｍ字状断面を有している。
【００７３】
底面側半割れ部材６０の略Ｗ字状断面の中央には平面部６０ａが形成されており、上面側半割れ部材６１の略Ｍ字状断面の中央には平面部６１ａが形成されている。そして、底面側半割れ部材６０と上面側半割れ部材６１とを上下方向に組み合わせると、平面部６０ａと平面部６１ａとが密接して２つの筒形状を形成する。さらに、この２つの筒形状の長手方向一端部（図２の右端部）をキャップ６２で閉塞することによって、２つの上側タンク１５ｂ、１８ｂを構成している。
【００７４】
なお、チューブ２１、フィン２２、タンク部１５ｂ、１５ｃ、１８ｂ、１８ｃ等の蒸発器構成部品の具体的材質としては、熱伝導性やろう付け性に優れた金属であるアルミニウムが好適であり、このアルミニウム材にて各部品を成形することにより、第１、第２蒸発器１５、１８の全体構成を一体ろう付けにて組み付けることができる。
【００７５】
本実施形態では、図２に示す接続ブロック２３および絞り機構１７を構成するキャピラリチューブ１７ａ等もろう付けにて第１、第２蒸発器１５、１８と一体に組み付けるようになっている。
【００７６】
これに対し、エジェクタ１４はノズル部１４ａに高精度な微小通路を形成しているので、エジェクタ１４をろう付けすると、ろう付け時の高温度（アルミニウムのろう付け温度：６００℃付近）にてノズル部１４ａが熱変形して、ノズル部１４ａの通路形状、寸法等を所期の設計通りに維持できないという不具合が生じる。
【００７７】
そこで、エジェクタ１４については、第１、第２蒸発器１５、１８、接続ブロック２３およびキャピラリチューブ１７ａ等の一体ろう付けを行った後に、蒸発器側に組み付けするようにしてある。
【００７８】
より具体的に、エジェクタ１４、キャピラリチューブ１７ａおよび接続ブロック２３等の組み付け構造を説明すると、キャピラリチューブ１７ａおよび接続ブロック２３は、蒸発器部品と同様にアルミニウム材にて成形される。
【００７９】
図５に示すように、キャピラリチューブ１７ａは、上側タンク１５ｂ、１８ｂの上面側半割れ部材６１の平面部６１ａの上方に形成される谷間部６１ｂに挟まれるように配置される。
【００８０】
接続ブロック２３は第１、第２蒸発器１５、１８のうち上側タンク１５ｂ、１８ｂの長手方向の一方（図２の左方）における側面部にろう付け固定される部材であって、図１に示す一体化ユニット２０の１つの冷媒入口２５と、１つの冷媒出口２６と、エジェクタ１４を蒸発器側に組み付けるためのエジェクタ入口部６３とを構成する。
【００８１】
図３、図６に示すように、接続ブロック２３の厚さ方向の途中にて冷媒入口２５は、エジェクタ１４の入口側に向かう第１通路をなす主通路２５ａと、キャピラリチューブ１７ａの入口側に向かう第２通路をなす分岐通路１６とに分岐される。この分岐通路１６は図１の分岐通路１６の入口部分に相当する。従って、図１の分岐点Ｚは接続ブロック２３の内部に構成されることになる。
【００８２】
これに対し、冷媒出口２６は接続ブロック２３の厚さ方向に貫通する１つの単純な通路穴（円形穴等）で構成される。
【００８３】
この接続ブロック２３は介在プレート６４を介して上側タンク１５ｂ、１８ｂの側面部にろう付け固定される。この介在プレート６４は、接続ブロック２３と一体に固定されることによって上述の主通路２５ａおよび分岐通路１６を形成する役割と、エジェクタ１４の長手方向の固定を行う役割とを果たすものである。
【００８４】
アルミニウム材にて成形される介在プレート６４には、接続ブロック２３の主通路２５ａと連通する主通路側開口部６４ａと、接続ブロック２３の分岐通路１６と連通する分岐通路側開口部６４ｂと、接続ブロック２３の冷媒出口２６と連通する冷媒出口側開口部６４ｃとが形成されている。
【００８５】
主通路側開口部６４ａの周縁部には上側タンク１８ｂ内に挿入される円筒部６４ｄが形成されており、この円筒部６４ｄの先端部には円筒部６４ｄの内径方向に突出する円環状のフランジ部６４ｅが形成されている。
【００８６】
介在プレート６４から蒸発器側に突出する第１爪部６４ｆを上側タンク１５ｂ、１８ｂにかしめることにより、介在プレート６４を蒸発器側に仮固定することができる。さらに、介在プレート６４から接続ブロック２３側に突出する第２爪部６４ｇを接続ブロック２３にかしめることにより、接続ブロック２３を蒸発器側に仮固定することができる。
【００８７】
そして、介在プレート６４の分岐通路側開口部６４ｂはキャピラリチューブ１７ａの上流側端部（図２の左端部）にろう付けによりシール接合される。
【００８８】
このように接続ブロック２３と介在プレート６４とを構成することにより、接続ブロック２３の冷媒出口２６が介在プレート６４の冷媒出口側開口部６４ｃを介して上側タンク１５ｂの左側空間３１と連通し、接続ブロック２３の主通路２５ａが介在プレート６４の主通路側開口部６４ａを介して上側タンク１８ｂの左側空間２７と連通し、かつ、接続ブロック２３の分岐通路１６が介在プレート６４の分岐通路側開口部６４ｂを介してキャピラリチューブ１７ａの上流側端部１７ｃと連通した状態で、接続ブロック２３と介在プレート６４とが上側タンク１５ｂ、１８ｂの側面部にろう付けされる。
【００８９】
エジェクタ固定板６５は、エジェクタ１４のディフューザ部１４ｄを固定するとともに、上側タンク１８ｂの内部空間を左側空間２７と右側空間２８とに仕切る役割を果たす部材である。上側タンク１８ｂの左側空間２７は、第２蒸発器１８の複数のチューブ２１を通過した冷媒を集合する集合タンクの役割を果たすものである。
【００９０】
エジェクタ固定板６５は、第２蒸発器１８の上側タンク１８ｂの内部空間の長手方向における略中央部に配置され上側タンク１８ｂの内壁面にろう付けされる。
【００９１】
図７に示すように、エジェクタ固定板６５は、上側タンク１８ｂの長手方向（図７の左右方向）を向いた平板部６５ａと、平板部６５ａから上側タンク１８ｂの長手方向に突出する円筒部６５ｂと、平板部６５ａの上端から上方へ突出する爪部６５ｃとから構成されており、アルミニウム材にて成形される。
【００９２】
円筒部６５ｂの内部空間は、エジェクタ固定板６５を左右方向に貫通する貫通穴を形成している。爪部６５ｃは、図４に示すように上側タンク１８ｂの上面のスリット状穴部６６を貫通し、上側タンク１８ｂにかしめられる。これにより、エジェクタ固定板６５を上側タンク１８ｂに仮固定できる。
【００９３】
図４に示すように、キャピラリチューブ１７ａの下流側端部（右端側）１７ｄは上側タンク１８ｂ内に、チューブ２１の積層方向（図４の左右方向）に挿入されている。より具体的には、キャピラリチューブ１７ａの下流側端部１７ｄは、上側タンク１８ｂのキャップ６２の貫通穴６２ａに挿入されて右側空間２８内に開口している。なお、キャピラリチューブ１７ａの外周面とキャップ６２の貫通穴６２ａとの間はろう付けによりシール接合される。
【００９４】
上側タンク１８ｂ内の右側空間２８の上下方向における略中央部には上下仕切板６７が配置されている。この上下仕切板６７は、右側空間２８をさらに上下方向の２つの空間、すなわち、上側空間６９と下側空間７０とに仕切る役割を果たす部材である。この下側空間７０は、第２蒸発器１８の複数のチューブ２１に対して冷媒を分配する分配タンクの役割を果たすものである。
【００９５】
なお、上下仕切板６７は本発明における仕切板に該当するものであり、上側空間６９は本発明における第１空間に該当するものであり、下側空間７０は本発明における第２空間に該当するものである。
【００９６】
上下仕切板６７はアルミニウム材にて成形され、上側タンク１８ｂの内壁面にろう付けされる部材であり、図８に示すように全体として上側タンク１８ｂの長手方向に延びる板形状を有している。
【００９７】
より具体的には、上下仕切板６７は、上側タンク１８ｂの長手方向に延びる平板面６７ａと、平板面６７ａの長手方向両端部にて互いに反対方向に直角に屈曲する第１、第２屈曲部６７ｂ、６７ｃとから構成されている。なお、平板面６７ａは本発明における板面に該当するものであり、第１屈曲部６７ｂは本発明における屈曲部に該当するものである。
【００９８】
第１屈曲部６７ｂは、平板面６７ａのうちキャピラリチューブ１７ａの下流側端部１７ｄに近い側（図４の右方側）の端部から上方へ向かって屈曲し、第２屈曲部６７ｃは平板面６７ａの他方側の端部から下方へ向かって屈曲している。
【００９９】
図５に示すように、平板面６７ａは第１蒸発器１５側から第２蒸発器１８側に向かって低くなるように傾斜している。第１屈曲部６７ｂの根元部には平板面６７ａ側へ三角状に突出するリブ６７ｄが一体に成形されている。このリブ６７ｄが第１屈曲部６７ｂの剛性を高めることによって、第１屈曲部６７ｂの屈曲角度を直角に維持している。
【０１００】
図４に示すように、第１屈曲部６７ｂの先端部（上端部）から上方へ突出する爪部６７ｅは上側タンク１８ｂの上面のスリット状穴部６８を貫通して上側タンク１８ｂにかしめられる。これにより上下仕切板６７を上側タンク１８ｂに仮固定できる。
【０１０１】
上下仕切板６７に第１屈曲部６７ｂを形成することにより、下側空間７０は第１屈曲部６７ｂよりもキャピラリチューブ１７ａの下流側端部１７ｄ側（図４の右方側）において上方に拡大されている。換言すれば、右側空間２８のうちキャピラリチューブ１７ａの下流側端部１７ｄ側の空間には、上側空間６９が形成されず、下側空間７０が右側空間２８の上下方向全域にわたって形成されている。
【０１０２】
図８に示すように、上下仕切板６７の平板面６７ａのうち第２屈曲部６７ｃ側（図８の左方側）の端部には、下側空間７０側に窪んだ窪み部６７ｆが形成されている。この窪み部６７ｆは円筒状凹部６７ｇと円錐状凹部６７ｈとから構成されている。
【０１０３】
円筒状凹部６７ｇは平板面６７ａの第２屈曲部６７ｃ側（図８の左方側）の端部にて平板面６７ａの長手方向に延びる形状を有している。円錐状凹部６７ｈは円筒状凹部６７ｇよりも第１屈曲部６７ｂ側（図８の右方側）において円筒状凹部６７ｇと連続して形成され、円筒状凹部６７ｇ側が深く円筒状凹部６７ｇから離れるにつれて浅くなる形状を有している。
【０１０４】
エジェクタ１４は銅、アルミニウムといった金属材にて構成するが、樹脂（非金属材）で構成してもよい。エジェクタ１４は、第１、第２蒸発器１５、１８等を一体ろう付けする組み付け工程（ろう付け工程）の終了後に、接続ブロック２３のエジェクタ入口部６３の穴形状および介在プレート６４の主通路側開口部６４ａの穴形状を貫通して上側タンク１８ｂの内部に差し込まれる。
【０１０５】
ここで、図３に示すエジェクタ１４の長手方向の先端部１４ｅは図１のエジェクタ１４の出口部１４ｅに相当する部分であり、本発明における出口部に該当するものである。このエジェクタ先端部１４ｅはエジェクタ固定板６５の円筒部６５ｂ内に挿入され、Ｏリング２９ａを用いてシール固定される。
【０１０６】
また、図４に示すように、エジェクタ先端部１４ｅは上下仕切板６７の平板面６７ａを上下方向に跨ぐ位置に配置されるが、上下仕切板６７に窪み部６７ｆが形成されるとともに、エジェクタ１４のディフューザ部１４ｄの外周面がこの窪み部６７ｆの円筒状凹部６７ｇ上に配置されることにより、エジェクタ先端部１４ｅの全体が上側タンク１８ｂ内の右側空間２８の上側空間６９に開口する。また、エジェクタ１４の冷媒吸引口１４ｂは第２蒸発器１８の上側タンク１８ｂの左側空間２７に連通するようになっている。
【０１０７】
図３に示すように、第１蒸発器１５の上側タンク１５ｂの内部空間の長手方向における略中央部には左右仕切板３０が配置され、この左右仕切板３０によって上側タンク１５ｂの内部空間が長手方向の２つの空間、すなわち、左側空間３１と右側空間３２とに仕切られている。
【０１０８】
ここで、左側空間３１は第１蒸発器１５の複数のチューブ２１を通過した冷媒を集合する集合タンクの役割を果たすものであり、右側空間３２は第１蒸発器１５の複数のチューブ２１に対して冷媒を分配する分配タンクの役割を果たすものである。
【０１０９】
ところで、図４に示すように、上側タンク１５ｂ、１８ｂの上面側半割れ部材６１の平板面６１ａのうち、上側タンク１８ｂ内の右側空間２８の上側空間６９に位置する部位には、凹部６１ｃが形成されている。
【０１１０】
この凹部６１ｃはチューブ２１の積層方向（図４の左右方向）に複数個配置されている。この凹部６１ｃと上側タンク１５ｂ、１８ｂの底面側半割れ部材６０の平板面６０ａとで囲まれる空間によって複数個の連通穴７１が形成されている。
【０１１１】
この複数個の連通穴７１を介して、上側タンク１８ｂ内の右側空間２８の上側空間６９と第１蒸発器１５の上側タンク１５ｂの右側空間３２とが連通している。
【０１１２】
なお、複数個の凹部６１ｃを１つにつなげた形状に形成することにより、連通穴７１を上側空間６９の左右方向（チューブ２１の積層方向）ほぼ全域にわたって形成するようにしてもよい。
【０１１３】
エジェクタ１４の長手方向の左端部（図３の左端部）は図１のノズル部１４ａの入口部に相当する部分であり、この左端部はＯリング２９ｂを用いて介在プレート６４の円筒部６４ｄの内周面に嵌合し、シール固定される。
【０１１４】
なお、本実施形態では、エジェクタ１４の長手方向の固定を次のように行う。まず、エジェクタ１４を接続ブロック２３のエジェクタ入口部６３から上側タンク１８ｂの内部に差し込んだ後、エジェクタ入口部６３内にスペーサ７２を差し込み、さらに、円柱状のプラグ７３の外周面の雄ネジをエジェクタ入口部６３の内周面の雌ネジに螺合する。本例では、スペーサ７２およびプラグ７３をそれぞれアルミニウム材にて成形している。
【０１１５】
図９に示すように、スペーサ７２は円環部７２ａと、円環部７２ａの一部から軸方向に突出する突出部７２ｂとから構成されている。このため、プラグ７３をエジェクタ入口部６３に螺合すると、スペーサ７２の突出部７２ｂがエジェクタ１４の左端部をエジェクタ１４の差し込み方向に押しつけるようになっている。
【０１１６】
一方、エジェクタ１４の左端部には、径寸法を大きくした円環部７４が形成されている。このため、スペーサ７２の突出部７２ｂがエジェクタ１４の左端部をエジェクタ１４の差し込み方向に押しつけると、このエジェクタ１４の円環部７４が介在プレート６４のフランジ部６４ｅに押しつけられる。このようにして、エジェクタ１４の長手方向の固定を行うことができる。
【０１１７】
ここで、突出部７２ｂをスペーサ７２の円環部７２ａの全周から突出するように形成してスペーサ７２を単純な円筒形状にすると、接続ブロック２３の主通路２５ａがスペーサ７２によって閉塞されてしまう。
【０１１８】
これに対して、本実施形態では、スペーサ７２の突出部７２ｂをスペーサ７２の円環部７２ａの一部のみから突出するように形成しているので、接続ブロック２３の主通路２５ａを閉塞することなくエジェクタ１４の長手方向の固定を行うことができる。
【０１１９】
なお、円筒状のプラグ７３の外周面はＯリング２９ｃを用いて接続ブロック２３のエジェクタ入口部６３の内周面に嵌合し、シール固定される。
【０１２０】
図４、図５に示すように、上側タンク１８ｂ内の右側空間２８の下側空間７０内には冷媒貯留板７５が配置されている。この冷媒貯留板７５は、第２蒸発器１８の複数のチューブ２１に対する冷媒の分配を均一化する役割を果たす部材であり、アルミニウム材にて成形され、断面山形にてチューブ２１の積層方向（図４の左右方向）に延びる板形状を有している。
【０１２１】
図１０に示すように、冷媒貯留板７５の断面山形の頂部には矩形状に打ち抜かれた穴部７５ａが形成されている。この矩形状の穴部７５ａは冷媒貯留板７５の長手方向に複数個形成されるので、穴部７５ａ同士の間において打ち抜かれずに残った部位が断面山形の結合部７５ｂを形成する。この結合部７５ｂにより、穴部７５ａを形成しても冷媒貯留板７５の剛性を確保することができる。
【０１２２】
図５に示すように、冷媒貯留板７５の断面山形の裾部７５ｃ側における端部７５ｄはチューブ２１の上端面に載せられて、上側タンク１８ｂの底面側半割れ部材６０の上下方向に延びる内壁面にろう付けされる。これにより、冷媒貯留板７５の裾部７５ｃと上側タンク１８ｂの内壁面との間に谷状の貯留部７６が形成される。
【０１２３】
本実施形態では、エジェクタ固定板６５により第２蒸発器１８の上側タンク１８ｂの内部を左右の空間２７、２８に仕切り、左側空間２７が複数のチューブ２１からの冷媒を集合させる集合タンクとしての役割を果たし、右側空間２８が冷媒を複数のチューブ２１へ分配する分配タンクとしての役割を果たす。エジェクタ１４は、そのノズル部１４ａの軸方向に延びる細長形状となっており、その細長形状の長手方向を上側タンク１８ｂの長手方向に一致させて、エジェクタ１４が上側タンク１８ｂと平行に設置されている。
【０１２４】
この構成は、エジェクタ１４と蒸発器１８とをコンパクトに配置することができ、ひいては、ユニット全体の体格をコンパクトにまとめることができる。しかも、エジェクタ１４が、集合タンクをなす左側空間２７内に配置され、その冷媒吸引口１４ｂを集合タンク内において直接に開口させて設置している。この構成は、冷媒配管を減らすことを可能とする。
【０１２５】
この構成は、複数のチューブ２１からの冷媒の集合と、エジェクタ１４への冷媒供給（冷媒吸引）とをひとつのタンクで実現できる利点を提供する。
【０１２６】
また、本実施形態では、第１蒸発器１５が第２蒸発器１８と隣接して設けられており、エジェクタ１４の下流側端部は、第１蒸発器１５の分配タンク（上側タンク１５ｂの右側空間３２）と隣接して設置されている。この構成は、エジェクタ１４が第２蒸発器１８に内蔵されていてもエジェクタ出口から第１蒸発器１５までの冷媒供給経路を簡単に構成できるという利点を提供する。
【０１２７】
以上の構成において一体化ユニット２０全体の冷媒流路を図３、図４、図１１により具体的に説明する。図１１はこの一体化ユニット２０の全体の冷媒流路を示す模式的な斜視図である。
【０１２８】
接続ブロック２３の冷媒入口２５は主通路２５ａと分岐通路１６とに分岐される。主通路２５ａの冷媒は介在プレート６４の主通路側開口部６４ａを通過したのち、エジェクタ１４（ノズル部１４ａ→混合部１４ｃ→ディフューザ部１４ｄ）を通過して減圧され、この減圧後の低圧冷媒は上側タンク１８ｂ内の右側空間２８の上側空間６９、複数個の連通穴７１を経て矢印ａのように第１蒸発器１５の上側タンク１５ｂの右側空間３２に流入する。
【０１２９】
この右側空間３２の冷媒は熱交換コア部１５ａの右側部の複数のチューブ２１を矢印ｂのように下降して下側タンク１５ｃ内の右側部に流入する。この下側タンク１５ｃ内には仕切板が設けてないので、この下側タンク１５ｃの右側部から冷媒は矢印ｃのように左側部へと移動する。
【０１３０】
この下側タンク１５ｃの左側部の冷媒は熱交換コア部１５ａの左側部の複数のチューブ２１を矢印ｄのように上昇して上側タンク１５ｂの左側空間３１に流入し、さらに、ここから冷媒は矢印ｅのように接続ブロック２３の冷媒出口２６へと流れる。
【０１３１】
これに対し、接続ブロック２３の分岐通路１６の冷媒はまずキャピラリチューブ１７ａを通過して減圧され、この減圧後の低圧冷媒（気液２相冷媒）は矢印ｆのように第２蒸発器１８の上側タンク１８ｂの右側空間２８の下側空間７０に流入する。
【０１３２】
この下側空間７０に流入した冷媒は、熱交換コア部１８ａの右側部の複数のチューブ２１を矢印ｇのように下降して下側タンク１８ｃ内の右側部に流入する。この下側タンク１８ｃ内には左右仕切板が設けてないので、この下側タンク１８ｃの右側部から冷媒は矢印ｈのように左側部へと移動する。
【０１３３】
この下側タンク１８ｃの左側部の冷媒は熱交換コア部１８ａの左側部の複数のチューブ２１を矢印ｉのように上昇して上側タンク１８ｂの左側空間２７に流入する。この左側空間２７にエジェクタ１４の冷媒吸引口１４ｂが連通しているので、この左側空間２７内の冷媒は冷媒吸引口１４ｂからエジェクタ１４内に吸引される。
【０１３４】
一体化ユニット２０は以上のような冷媒流路構成を持つため、一体化ユニット２０全体として冷媒入口２５は接続ブロック２３に１つ設けるだけでよく、また冷媒出口２６も接続ブロック２３に１つ設けるだけでよい。
【０１３５】
次に、第１実施形態の作動を説明する。圧縮機１１を車両エンジンにより駆動すると、圧縮機１１で圧縮され吐出された高温高圧状態の冷媒は放熱器１２に流入する。放熱器１２では高温の冷媒が外気により冷却されて凝縮する。放熱器１２から流出した高圧冷媒は受液器１２ａ内に流入し、この受液器１２ａ内にて冷媒の気液が分離され、液冷媒が受液器１２ａから導出され膨張弁１３を通過する。
【０１３６】
この膨張弁１３では、第１蒸発器１５の出口冷媒（圧縮機吸入冷媒）の過熱度が所定値となるように弁開度（冷媒流量）が調整され、高圧冷媒が減圧される。この膨張弁１３通過後の冷媒（中間圧冷媒）は一体化ユニット２０の接続ブロック２３に設けられた１つの冷媒入口２５に流入する。
【０１３７】
ここで、冷媒流れは、接続ブロック２３の主通路２５ａからエジェクタ１４に向かう冷媒流れと、接続ブロック２３の冷媒分岐通路１６からキャピラリチューブ１７ａに向かう冷媒流れとに分流する。
【０１３８】
そして、エジェクタ１４に流入した冷媒流れはノズル部１４ａで減圧され膨張する。従って、ノズル部１４ａで冷媒の圧力エネルギーが速度エネルギーに変換され、このノズル部１４ａの噴出口から冷媒は高速度となって噴出する。この際の冷媒圧力低下により、冷媒吸引口１４ｂから分岐冷媒通路１６の第２蒸発器１８通過後の冷媒（気相冷媒）を吸引する。
【０１３９】
ノズル部１４ａから噴出した冷媒と冷媒吸引口１４ｂに吸引された冷媒は、ノズル部１４ａ下流側の混合部１４ｃで混合してディフューザ部１４ｄに流入する。このディフューザ部１４ｄでは通路面積の拡大により、冷媒の速度（膨張）エネルギーが圧力エネルギーに変換されるため、冷媒の圧力が上昇する。
【０１４０】
そして、エジェクタ１４のディフューザ部１４ｄから流出した冷媒は第１蒸発器１５における図１１の矢印ａ〜ｅの冷媒流路にて冷媒が流れる。この間に、第１蒸発器１５の熱交換コア部１５ａでは、低温の低圧冷媒が矢印Ａ方向の送風空気から吸熱して蒸発する。この蒸発後の気相冷媒は、１つの冷媒出口２６から圧縮機１１に吸入され、再び圧縮される。
【０１４１】
一方、冷媒分岐通路１６に流入した冷媒流れはキャピラリチューブ１７ａで減圧されて低圧冷媒（気液２相冷媒）となり、この低圧冷媒が第２蒸発器１８における図１１の矢印ｆ〜ｉの冷媒流路にて冷媒が流れる。この間に、第２蒸発器１８の熱交換コア部１８ａでは、低温の低圧冷媒が、第１蒸発器１５通過後の送風空気から吸熱して蒸発する。この蒸発後の気相冷媒は冷媒吸引口１４ｂからエジェクタ１４内に吸引される。
【０１４２】
以上のごとく、本実施形態によると、エジェクタ１４のディフューザ部１４ｄの下流側冷媒を第１蒸発器１５に供給するととともに、分岐通路１６側の冷媒をキャピラリチューブ（絞り機構）１７ａを通して第２蒸発器１８にも供給できるので、第１、第２蒸発器１５、１８で同時に冷却作用を発揮できる。そのため、第１、第２蒸発器１５、１８の両方で冷却された冷風を冷却対象空間に吹き出して、冷却対象空間を冷房（冷却）できる。
【０１４３】
その際に、第１蒸発器１５の冷媒蒸発圧力はディフューザ部１４ｄで昇圧した後の圧力であり、一方、第２蒸発器１８の出口側はエジェクタ１４の冷媒吸引口１４ｂに接続されているから、ノズル部１４ａでの減圧直後の最も低い圧力を第２蒸発器１８に作用させることができる。
【０１４４】
これにより、第１蒸発器１５の冷媒蒸発圧力（冷媒蒸発温度）よりも第２蒸発器１８の冷媒蒸発圧力（冷媒蒸発温度）を低くすることができる。そして、送風空気の流れ方向Ａに対して冷媒蒸発温度が高い第１蒸発器１５を上流側に配置し、冷媒蒸発温度が低い第２蒸発器１８を下流側に配置しているから、第１蒸発器１５における冷媒蒸発温度と送風空気との温度差および第２蒸発器１８における冷媒蒸発温度と送風空気との温度差を両方とも確保できる。
【０１４５】
このため、第１、第２蒸発器１５、１８の冷却性能を両方とも有効に発揮できる。従って、共通の冷却対象空間に対する冷却性能を第１、第２蒸発器１５、１８の組み合わせにて効果的に向上できる。また、ディフューザ部１４ｄでの昇圧作用により圧縮機１１の吸入圧を上昇して、圧縮機１１の駆動動力を低減できる。
【０１４６】
また、第２蒸発器１８側の冷媒流量をエジェクタ１４の機能に依存することなく、キャピラリチューブ（絞り機構）１７にて独立に調整でき、第１蒸発器１５への冷媒流量はエジェクタ１４の絞り特性により調整できる。このため、第１、第２蒸発器１５、１８への冷媒流量をそれぞれの熱負荷に対応して容易に調整できる。
【０１４７】
また、サイクル熱負荷が小さい条件では、サイクルの高低圧差が小さくなって、エジェクタ１４の入力が小さくなる。この場合に、特許文献１のサイクルでは、第２蒸発器１８を通過する冷媒流量がエジェクタ１４の冷媒吸引能力のみに依存するので、エジェクタ１４の入力低下→エジェクタ１４の冷媒吸引能力の低下→第２蒸発器１８の冷媒流量の減少が発生して、第２蒸発器１８の冷却性能を確保しにくい。
【０１４８】
これに対し、本実施形態によると、エジェクタ１４の上流部で膨張弁１３通過後の冷媒を分岐し、この分岐冷媒を冷媒分岐通路１６を通して冷媒吸引口１４ｂに吸引させるから、冷媒分岐通路１６がエジェクタ１４に対して並列的な接続関係となる。
【０１４９】
このため、冷媒分岐通路１６にエジェクタ１４の冷媒吸引能力だけでなく、圧縮機１１の冷媒吸入、吐出能力をも利用して冷媒を供給できる。これにより、エジェクタ１４の入力低下→エジェクタ１４の冷媒吸引能力の低下という現象が発生しても、第２蒸発器１８側の冷媒流量の減少度合いを特許文献１のサイクルよりも小さくできる。よって、低熱負荷条件でも、第２蒸発器１８の冷却性能を確保しやすい。
【０１５０】
ところで、図１２は比較例であり、本実施形態と同様のエジェクタ式冷凍サイクル１０において一体化ユニット２０を構成していない例である。すなわち、図１２の比較例では、エジェクタ１４、第１蒸発器１５、第２蒸発器１８、絞り機構１７（具体的には固定絞りをなすキャピラリチューブ１７ａ）をそれぞれ独立の部品として構成し、これらの部品のそれぞれを独自に車体などのシャーシ部品に固定し、これら各部品相互間をそれぞれ配管結合している。
【０１５１】
このため、図１２の比較例によると、それぞれの部品、特にエジェクタ１４や各蒸発器１５、１８といった低圧系部品をそれぞれ車体などに固定する必要があるとともに、エジェクタ１４の入口側および出口側の接続配管、絞り機構１７の入口側および出口側の接続配管、第２蒸発器１８の出口側とエジェクタ冷媒吸引口１４ｂとの接続配管等が本実施形態に比較して余分に必要となる。
【０１５２】
この結果、エジェクタ式冷凍サイクル１０の車両への搭載に際して、配管接続箇所が増加して搭載作業工数が増大するととともに、上記各部品をそれぞれ独立の部品として構成し、各部品相互間をそれぞれ配管結合しているので、搭載スペースも多く必要となり、エジェクタ式冷凍サイクル１０の車両搭載性を悪化させる。また、サイクル部品点数が増加してコストアップを招く。
【０１５３】
これに対し、本実施形態によると、エジェクタ１４、第１、第２蒸発器１５、１８、および固定絞りをなすキャピラリチューブ１７ａを図２に示すように１つの構造体、すなわち一体化ユニット２０として組み付け、それにより、一体化ユニット２０全体として冷媒入口２５および冷媒出口２６をそれぞれ１つ設けるだけで済むようにしている。
【０１５４】
その結果、エジェクタ式冷凍サイクル１０の車両への搭載時には、上記各種部品（１４、１５、１８、１７ａ）を内蔵する一体化ユニット２０全体として、１つの冷媒入口２５を膨張弁１３の出口側に接続し、１つの冷媒出口２６を圧縮機１１の吸入側に接続するだけで、配管接続作業を終了できる。
【０１５５】
これと同時に、蒸発器タンク部内にエジェクタ１４およびキャピラリチューブ１７ａを内蔵する構成（図３参照）を採用することにより一体化ユニット２０全体の体格を図２に示すように小型、簡潔にまとめることができ、搭載スペースを低減できる。
【０１５６】
そのため、複数の蒸発器１５、１８を有するエジェクタ式冷凍サイクル１０の車両への搭載性を向上できる。そして、サイクル部品点数を減少してコスト低減を図ることができる。
【０１５７】
さらに、一体化ユニット２０の採用により次のごとき冷却性能向上等の付随効果をも発揮できる。すなわち、一体化ユニット２０によると、上記各種部品（１４、１５、１８、１７ａ）相互間の接続通路長さを微少量に短縮できるので、冷媒流路の圧損を低減できると同時に、低圧冷媒と周辺雰囲気との熱交換を効果的に縮小できる。これにより、第１、第２蒸発器１５、１８の冷却性能を向上できる。
【０１５８】
特に、第２蒸発器１８では、その出口側とエジェクタ冷媒吸引口１４ｂとの間の接続配管の廃止による圧損低減分だけ第２蒸発器１８の蒸発圧力を引き下げることができるので、第２蒸発器１８の冷却性能を圧縮機動力の増加なしで効果的に向上できる。
【０１５９】
また、エジェクタ１４を蒸発器タンク部内の低温雰囲気に配置しているから、エジェクタ１４の断熱処理（断熱材の貼り付け）を廃止できる。
【０１６０】
また、本実施形態によると、上側タンク１８ｂ内の右側空間２８の上側空間６９において、連通穴７１をチューブ２１の積層方向、換言すれば、エジェクタ先端部１４ｅが開口する方向に複数個配置している。これにより、エジェクタ先端部１４ｅから上側空間６９に吐出された冷媒は、矢印ａのように複数個の連通穴７１にうまく分配されて第１蒸発器１５の上側タンク１５ｂの右側空間３２（分配タンク）に流入する。
【０１６１】
このため、エジェクタ１４から吐出された冷媒が上側空間６９から右側空間３２へとスムーズに流すことができるので、圧力損失を低減できる。
【０１６２】
さらに、複数個の連通穴７１を通過した冷媒は右側空間３２（分配タンク）内においてチューブ２１の積層方向に分配されて流入するので、第１蒸発器１５の複数のチューブ２１に対する冷媒の分配を均一化できる。
【０１６３】
ここで、第２蒸発器１８側の上側空間６９内において、上下仕切板６７の平板面６７ａは第１蒸発器１５側から第２蒸発器１８側に向かって低くなるように傾斜している。このため、エジェクタ先端部１４ｅから上側空間６９に吐出された冷媒が上下仕切板６７の平板面６７ａに沿って流れて連通穴７１側にうまく誘導されるようになっている。
【０１６４】
また、本実施形態によると、上下仕切板６７の平板面６７ａのうちエジェクタ先端部１４ｅ側部位に下側空間７０側に窪んだ窪み部６７ｆを形成し、エジェクタ１４のディフューザ部１４ｄの外周面を窪み部６７ｆの円筒状凹部６７ｇ上に配置している。これにより、上側タンク１８ｂ内の空間を有効に活用して、上側タンク１８ｂを大型化させることなく、エジェクタ先端部１４ｅの全体を上側空間６９に開口させることができる。
【０１６５】
さらに、この窪み部６７ｆには、エジェクタ先端部１４ｅに近い側が最も深く、エジェクタ先端部１４ｅから離れるにつれて徐々に浅くなる円錐状凹部６７ｈが形成されている。このため、エジェクタ先端部１４ｅから吐出された冷媒が窪み部６７ｆで抵抗を受けることなく滑らかに流れることができるので、窪み部６７ｆにおける冷媒の圧力損失を低減できる。
【０１６６】
また、本実施形態によると、上下仕切板６７の第１屈曲部６７ｂの根元部に平板面６７ａ側へ三角状に突出するリブ６７ｄを成形しているので、第１屈曲部６７ｂの根元部における剛性を高めることができる。これにより、上下仕切板６７の仮固定後、ろう付けまでの間に第１屈曲部６７ｂの根元部が変形して平板面６７ａと第１屈曲部６７ｂとの間の屈曲角度が直角から変化してしまうことを防止できる。
【０１６７】
この結果、第１屈曲部６７ｂと上側タンク１８ｂの内壁面との間に隙間が生じることを防止できるので、上側タンク１８ｂ内の右側空間２８を上下仕切板６７によって上側空間６９と下側空間７０とに確実に仕切ることができる。
【０１６８】
また、本実施形態では、上側タンク１８ｂ内の右側空間２８の下側空間７０（分配タンク）をキャピラリチューブ１７ａの下流側端部１７ｄ側において上方へ拡大して右側空間２８の上下方向全域にわたって形成している。これにより、下側空間７０にキャピラリチューブ１７ａの下流側端部１７ｄを開口させる空間を確保している。すなわち、上側タンク１８ｂ内の空間を有効に活用して、上側タンク１８ｂの大型化を回避している。
【０１６９】
ところで、本実施形態におけるエジェクタ式冷凍サイクル１０では、膨張弁１３通過後の気液２相状態の冷媒（中間圧冷媒）は接続ブロック２３の主通路２５ａからエジェクタ１４に向かう冷媒流れと、接続ブロック２３の冷媒分岐通路１６からキャピラリチューブ１７ａに向かう冷媒流れとに分流する。
【０１７０】
このため、キャピラリチューブ１７ａから第２蒸発器１８の上側タンク１８ｂの右側空間２８の下側空間７０に流入する冷媒（矢印ｆ）の流量が少なくなるので、下側空間７０（分配タンク）のうちキャピラリチューブ１７ａの下流側端部１７ｄから離れる側には冷媒が到達しにくい。
【０１７１】
この結果、下側空間７０（分配タンク）において複数のチューブ２１に対する冷媒の分配が不均一になるので、第２蒸発器１８で冷却された冷風の温度分布が不均一になる。
【０１７２】
そこで、本実施形態では、図５の矢印ｊに示すように、キャピラリチューブ１７ａの下流側端部１７ｄから下側空間７０に流入した気液２相冷媒のうち液冷媒がは、冷媒貯留板７５の裾部７５ｃに形成される谷状の貯留部７６に一旦溜まり、谷状の貯留部７６から溢れた液冷媒が冷媒貯留板７５の複数個の矩形状穴部７５ａを通じてチューブ２１側へ落下するようになっている。
【０１７３】
これにより、下側空間７０（分配タンク）のうちキャピラリチューブ１７ａの下流側端部１７ｄから離れる側に液冷媒を誘導することができるので、下側空間７０内に挿入されている複数のチューブ２１に対する液冷媒の分配を均一化できる。このため、第２蒸発器１８で冷却された冷風の温度分布を均一化できる。
【０１７４】
ところで、図１３〜図１５は適用例１であり、この適用例１に対して本発明を適用することによって本発明の実施形態とすることができる。図１３はこの適用例１の一体化ユニット２０の全体構成の概要を示す斜視図で、図１４は適用例１における第１、第２蒸発器１５、１８の上側タンク部の横断面図で、図１５は適用例１における第２蒸発器１８の上側タンク部の縦断面図である。
【０１７５】
この適用例１においては、キャピラリチューブ１７ａを上側タンク１８ｂ内部に配置している。すなわち、キャピラリチューブ１７ａの下流側端部１７ｄは、図２に示すように第２接続ブロック２４の支持穴２４ａを貫通して上側タンク１８ｂの右側空間２８内に開口している。
【０１７６】
また、適用例１における接続ブロック２３は、本実施形態における接続ブロック２３と介在プレート６４を一体に成形したものに相当する。また、適用例１においては、エジェクタ入口部６３が形成されておらず、冷媒入口２５からエジェクタ１４を第２蒸発器１８の上側タンク１８ｂ内に差し込むようになっている。したがって、本実施形態におけるスペーサ７２およびプラグ７３が不要である。
【０１７７】
また、本実施形態におけるエジェクタ固定板６５の代わりに上側タンク１８ｂ内の長手方向中央部に第２接続ブロック２４を配置し、この第２接続ブロック２４により上側タンク１８ｂの内部空間を左右に仕切っている。
【０１７８】
そして、本実施形態における上下仕切板６７が配置されていないので、第２蒸発器１８の上側タンク１８ｂ内部の右側空間２８を上側空間６９と下側空間７０とに仕切ることなく１つの空間にしている。
【０１７９】
さらに、本実施形態における連通穴７１の代わりに、第２接続ブロック２４の連通穴部２４ｃを、両上側タンク１５ｂ、１８ｂの中間壁面３３の貫通穴３３ａを介して第１蒸発器１５の上側タンク１５ｂの右側空間３２に連通させている。
【０１８０】
したがって、エジェクタ１４のディフューザ部１４ｄから吐出された低圧冷媒は、第２接続ブロック２４の連通穴部２４ｃ、中間壁面３３の貫通穴３３ａを経て、矢印ａのように第１蒸発器１５の上側タンク１５ｂの右側空間３２に流入するようになっている。
【０１８１】
この適用例１に対して本発明を適用することによって、本発明の実施形態とすることができる。具体的には、第２接続ブロック２４を廃止し、その代わりにエジェクタ固定板６５、上下仕切板６７を配置して、上側タンク１８ｂ内部の右側空間２８を上側空間６９と下側空間７０とに仕切る。
【０１８２】
さらに、上側空間６９に複数個の連通穴７１を配置して、複数個の連通穴７１により第２蒸発器１８側の上側空間６９と第１蒸発器１５側の右側空間３２とを連通する。
【０１８３】
これにより、エジェクタ先端部１４ｅから吐出された低圧冷媒を複数個の連通穴７１を通じて第１蒸発器１５側の右側空間３２にスムーズに流入させることができるので、圧力損失を低減できる。
【０１８４】
また、図１６〜図１８は適用例２である。この適用例２では、一体化ユニット２０の第１接続ブロック２３の分岐通路１６と、第２蒸発器１８の入口側との間にキャピラリチューブ１７ａを配置し、このキャピラリチューブ１７ａにて第２蒸発器１８の入口冷媒を減圧するようにしているが、図１６〜図１８の適用例２では、第２蒸発器１８の減圧手段としてキャピラリチューブ１７ａを採用せず、その代わりに、第１接続ブロック２３の分岐通路１６にその通路面積を所定量に絞るオリフィス等の固定絞り穴１７ｂを設け、これに伴って、第１実施形態のキャピラリチューブ１７ａの配置部位には、キャピラリチューブ１７ａよりも通路径の大きい接続管１６０を配置している。
【０１８５】
適用例２では、第１接続ブロック２３の分岐通路１６に形成した固定絞り穴１７ｂで減圧した低圧冷媒を接続管１６０を通して第２蒸発器１８の上側タンク１８ｂの右側空間２８に導入する点が図１３〜図１５の適用例１と相違するのみで、他の冷媒流路は図１３〜図１５の適用例１と同じである。
【０１８６】
この図１６〜図１８の適用例２に対しても、本発明を適用することによって、本発明の実施形態とすることができる。
【０１８７】
（第２実施形態）
第１実施形態では、放熱器１２の出口側に受液器１２ａを配置し、この受液器１２ａの出口側に膨張弁１３を配置する膨張弁式のサイクル構成にしているが、第２実施形態では図１９に示すように、第１蒸発器１５の出口側に冷媒の気液を分離して余剰冷媒を液として蓄える気液分離器であるアキュムレータ５０を設け、このアキュムレータ５０から気相冷媒を圧縮機１１の吸入側へ導出するようにしている。
【０１８８】
このアキュムレータ式のサイクル構成では、アキュムレータ５０内に気相冷媒と液相冷媒の気液界面が形成されるから、第１実施形態のように第１蒸発器１５の出口冷媒の過熱度制御を膨張弁１３で行う必要がない。
【０１８９】
従って、アキュムレータ式のサイクル構成では、受液器１２ａおよび膨張弁１３を廃止することになるので、一体化ユニット２０の冷媒入口２５を放熱器１２の出口側に直接接続すればよい。そして、一体化ユニット２０の冷媒出口２６をアキュムレータの入口側に接続し、アキュムレータの出口側を圧縮機１１の吸入側に接続すればよい。
【０１９０】
（第３実施形態）
第３実施形態は第２実施形態の変形であり、図２０に示すように、アキュムレータ５０も一体化ユニット２０の一要素として一体に組み付け、そして、アキュムレータ５０の出口部を一体化ユニット２０全体の冷媒出口２６として構成するものである。
【０１９１】
（第４実施形態）
第１〜第３実施形態では、いずれもエジェクタ１４の入口側で分岐した分岐通路１６をエジェクタ１４の冷媒吸引口１４ｂに接続し、この分岐通路１６に絞り機構１７と第２蒸発器１８を配置する構成にしているが、第４実施形態では図２１に示すように、第１蒸発器１５の出口側に気液分離器をなすアキュムレータ５０を設け、このアキュムレータ５０の液相冷媒出口部５０ａをエジェクタ１４の冷媒吸引口１４ｂに接続する分岐通路１６を設け、この分岐通路１６に絞り機構１７と第２蒸発器１８を配置する構成にしている。
【０１９２】
そして、第４実施形態では、エジェクタ１４と、第１、第２蒸発器１５、１８と、絞り機構１７と、アキュムレータ５０とにより一体化ユニット２０を構成している。ここで、一体化ユニット２０全体として１つの冷媒入口２５をエジェクタ１４の入口側に設け、この冷媒入口２５を放熱器１２の出口側に接続している。
【０１９３】
また、一体化ユニット２０全体として１つの冷媒出口２６をアキュムレータ５０の気相冷媒出口部に設け、この冷媒出口２６を圧縮機１１の吸入側に接続している。
【０１９４】
（第５実施形態）
第１〜第４実施形態では、いずれも一体化ユニット２０内に絞り機構１７も一体化しているが、第５実施形態では、図２２に示すように、一体化ユニット２０を第１、第２蒸発器１５、１８とエジェクタ１４とにより構成し、絞り機構１７は一体化ユニット２０から分離して独立に設けている。
【０１９５】
また、第５実施形態では、サイクル高圧側および低圧側のいずれにも気液分離器を配置しない例を示す。
【０１９６】
（第６実施形態）
図２３は第６実施形態であり、上記第５実施形態に対して、第１蒸発器１５の出口側に気液分離器をなすアキュムレータ５０を設け、このアキュムレータ５０を一体化ユニット２０内に一体化している。すなわち、第６実施形態は、エジェクタ１４と第１、第２蒸発器１５、１８とアキュムレータ５０とにより一体化ユニット２０を構成し、そして、絞り機構１７は一体化ユニット２０から分離して独立に設けている。
【０１９７】
（他の実施形態）
なお、本発明は上述の実施形態に限定されることなく、以下述べるごとく種々変形可能である。
【０１９８】
（１）第１実施形態では、一体化ユニット２０の各部材を一体に組み付けるに際して、エジェクタ１４を除く他の部材、すなわち、第１蒸発器１５、第２蒸発器１８、接続ブロック２３、キャピラリチューブ１７ａ等を一体ろう付けしているが、これらの部材の一体組み付けは、ろう付け以外に、ねじ止め、かしめ、溶接、接着等の種々な固定手段を用いて行うことができる。
【０１９９】
また、第１実施形態では、エジェクタ１４の固定手段としてねじ止めを例示しているが、熱変形の恐れのない固定手段であれば、ねじ止め以外の手段を用いることができる。具体的には、かしめ、接着等の固定手段を用いてエジェクタ１４の固定を行ってもよい。
【０２００】
（２）上述の各実施形態では、冷媒として高圧圧力が臨界圧力を超えないフロン系、ＨＣ系等の冷媒を用いる蒸気圧縮式の亜臨界サイクルについて説明したが、冷媒として二酸化炭素（ＣＯ２）のように高圧圧力が臨界圧力を超える冷媒を用いる蒸気圧縮式の超臨界サイクルに本発明を適用してもよい。
【０２０１】
但し、超臨界サイクルでは、圧縮機吐出冷媒が放熱器１２にて超臨界状態のまま放熱するのみであり、凝縮しないので、高圧側に配置される受液器１２ａでは冷媒の気液分離作用および余剰液冷媒の貯留作用を発揮できない。そこで、超臨界サイクルでは、図１９〜図１９に示すように第１蒸発器１５の出口側に低圧側気液分離器をなすアキュムレータ５０を配置する構成を採用すればよい。
【０２０２】
（３）上述の実施形態では、絞り機構１７をキャピラリチューブ１７ａまたはオリフィスのような固定絞り穴１７ｂで構成しているが、絞り機構１７を電動アクチュエータにより弁開度（通路絞り開度）が調整可能になっている電気制御弁で構成してもよい。また、絞り機構１７をキャピラリチューブ１７ａや固定絞り穴１７ｂのごとき固定絞りと電磁弁との組み合わせで構成してもよい。
【０２０３】
（４）上述の各実施形態では、エジェクタ１４として、通路面積が一定のノズル部１４ａを有する固定エジェクタを例示しているが、エジェクタ１４として、通路面積を調整可能な可変ノズル部を有する可変エジェクタを用いてもよい。
【０２０４】
なお、可変ノズル部の具体例としては、例えば、可変ノズル部の通路内にニードルを挿入し、このニードルの位置を電気的アクチュエータにより制御して通路面積を調整する機構とすればよい。
【０２０５】
（５）第１実施形態等では、車室内冷房用と冷凍冷蔵庫内の冷却とを行う冷凍サイクルに本発明を適用した例を示したが、冷媒蒸発温度が高温側となる第１蒸発器１５と冷媒蒸発温度が低温側となる第２蒸発器１８の両方をともに車室内の異なる領域（例えば、車室内前席側領域と車室内後席側領域）の冷房に用いてもよい。
【０２０６】
また、冷媒蒸発温度が高温側となる第１蒸発器１５と冷媒蒸発温度が低温側となる第２蒸発器１８の両方をともに冷凍冷蔵庫内の冷却に用いてもよい。つまり、冷媒蒸発温度が高温側となる第１蒸発器１５により冷凍冷蔵庫内の冷蔵室を冷却し、冷媒蒸発温度が低温側となる第２蒸発器１８により冷凍冷蔵庫内の冷凍室を冷却するようにしてもよい。
【０２０７】
（６）第１実施形態等では、温度式膨張弁１３と感温部１３ａとを、エジェクタ式冷凍サイクル用ユニットとは別体として構成した。しかし、エジェクタ式冷凍サイクル用ユニットに、温度式膨張弁１３と感温部１３ａとを一体的に組みつけてもよい。例えば、温度式膨張弁１３と感温部１３ａとを一体化ユニット２０の接続ブロック２３内に収容する構成を採用することができる。この場合、冷媒入口２５は受液器１２ａと温度式膨張弁１３との間に位置し、冷媒出口２６は感温部１３ａを設置した通路部位と圧縮機１１との間に位置することとなる。
【０２０８】
（７）上述の各実施形態では、車両用の冷凍サイクルについて説明したが、車両用に限らず、定置用等の冷凍サイクルに対しても本発明を同様に適用できることはもちろんである。
【０２０９】
（８）第１実施形態では、エジェクタ１４を第２蒸発器１８の上側タンク１８ｂ内に配置するとともに、キャピラリチューブ１７ａの下流側端部１７ｄを第２蒸発器１８の上側タンク１８ｂ内に配置しているが、エジェクタ１４を第１蒸発器１５の上側タンク１５ｂ内に配置するとともに、キャピラリチューブ１７ａの下流側端部１７ｄ第１蒸発器１５の上側タンク１５ｂ内に配置してもよい。
【０２１０】
この場合においては、上下仕切板６７を第１蒸発器１５の上側タンク１５ｂの右側空間３２に配置して右側空間３２を上側空間と下側空間とに仕切り、さらに、上側空間によりキャピラリチューブ１７ａの下流側端部１７ｄと第２蒸発器１８の上側タンク１８ｂとを連通し、下側空間をエジェクタ先端部１４ｅと連通するようにする。
【０２１１】
これにより、エジェクタ１４から吐出された冷媒を下側空間を通じて第２蒸発器１８の複数のチューブ２１に対して分配でき、キャピラリチューブ１７ａの下流側端部１７ｄから流出した冷媒を上側空間を通じて第２蒸発器１８側へと流すことができる。
【０２１２】
（９）第１実施形態では、エジェクタ１４を第２蒸発器１８の上側タンク１８ｂ内に配置しているが、エジェクタ１４を第２蒸発器１８の上側タンク１８ｂの外部に配置してもよい。
【０２１３】
（１０）第１実施形態では、キャピラリチューブ１７ａの下流側端部１７ｄを上側タンク１８ｂ内に水平方向に挿入しているが、キャピラリチューブ１７ａの下流側端部１７ｄを上側タンク１８ｂ内に上下方向に挿入してもよい。これにより、第１実施形態と比較して、一体化ユニット２０の左右方向（上側タンク１８ｂの長手方向）における体格を小型化できる。
【０２１４】
（１１）第１実施形態では、第１蒸発器１５と第２蒸発器１８のタンク部１５ｂ、１５ｃ、１８ｂ、１８ｃを第１蒸発器１５の上下両側に配置している、すなわち、第１蒸発器１５と第２蒸発器１８とを垂直方向に配置しているが、第１蒸発器１５と第２蒸発器１８とを垂直方向に対して傾斜して配置するようにしてもよい。
【図面の簡単な説明】
【０２１５】
【図１】本発明の第１実施形態による車両用エジェクタ式冷凍サイクルの冷媒回路図である。
【図２】第１実施形態による一体化ユニットの概略構成を示す分解斜視図である。
【図３】図２の一体化ユニットの蒸発器タンク部の横断面図である。
【図４】図２の一体化ユニットの蒸発器タンク部の縦断面図である。
【図５】図４におけるＢ−Ｂ拡大断面図である。
【図６】図２の一体化ユニットにおける接続ブロックと介在プレートの斜視図である。
【図７】図２の一体化ユニットにおけるエジェクタ固定板の斜視図である。
【図８】図２の一体化ユニットにおける上下仕切板の斜視図である。
【図９】図２の一体化ユニットにおけるスペーサの斜視図である。
【図１０】図２の一体化ユニットにおける冷媒貯留板の斜視図である。
【図１１】図２の一体化ユニット２０の全体の冷媒流路を示す模式的な斜視図である。
【図１２】比較例のエジェクタ式冷凍サイクルの冷媒回路図である。
【図１３】適用例１の一体化ユニットの概略構成を示す斜視図である。
【図１４】図１３の一体化ユニットの蒸発器タンク部の横断面図である。
【図１５】図１４の蒸発器タンク部の側面図である。
【図１６】適用例２の一体化ユニットの概略構成を示す斜視図である。
【図１７】図１６の一体化ユニットの蒸発器タンク部の横断面図である。
【図１８】図１７の蒸発器タンク部の側面図である。
【図１９】第２実施形態による車両用エジェクタ式冷凍サイクルの冷媒回路図である。
【図２０】第３実施形態による車両用エジェクタ式冷凍サイクルの冷媒回路図である。
【図２１】第４実施形態による車両用エジェクタ式冷凍サイクルの冷媒回路図である。
【図２２】第５実施形態による車両用エジェクタ式冷凍サイクルの冷媒回路図である。
【図２３】第６実施形態による車両用エジェクタ式冷凍サイクルの冷媒回路図である。
【符号の説明】
【０２１６】
１４…エジェクタ、１４ｅ…エジェクタ先端部(出口部)、
１７ｄ…下流側端部（流入口）、１８ｂ…上側タンク部（タンク）、
６７…上下仕切板（仕切板）、６７ａ…平板面（板面）、
６７ｂ…第１屈曲部（屈曲部）、６７ｄ…リブ、６７ｆ…窪み部、
６９…上側空間（第１空間）、７０…下側空間（第２空間）、７１…連通穴。
【図１】
0004548350.tif 000002
【図２】
0004548350.tif 000003
【図３】
0004548350.tif 000004
【図４】
0004548350.tif 000005
【図５】
0004548350.tif 000006
【図６】
0004548350.tif 000007
【図７】
0004548350.tif 000008
【図８】
0004548350.tif 000009
【図９】
0004548350.tif 000010
【図１０】
0004548350.tif 000011
【図１１】
0004548350.tif 000012
【図１２】
0004548350.tif 000013
【図１３】
0004548350.tif 000014
【図１４】
0004548350.tif 000015
【図１５】
0004548350.tif 000016
【図１６】
0004548350.tif 000017
【図１７】
0004548350.tif 000018
【図１８】
0004548350.tif 000019
【図１９】
0004548350.tif 000020
【図２０】
0004548350.tif 000021
【図２１】
0004548350.tif 000022
【図２２】
0004548350.tif 000023
【図２３】
0004548350.tif 000024